(57)【要約】【課題】電子メールの本文の内容において、印刷の必要な部分を効率的に抽出して印刷することが可能な画像形成装置を提供する。【解決手段】画像形成装置２２は、情報処理装置１２とネットワーク２０を介してデータ通信を行なう画像形成装置であって、電子メールに基づく画像データを情報処理装置１２から受信するＮＩＣ３８と、受信した画像データに基づいて、電子メールの形式を判定するメール形式判定部３０と、メール形式判定部３０の判定結果に応じて、電子メールの印刷範囲を決定する画像処理部３５と、電子メールにおける、画像処理部３５によって決定された印刷範囲に基づく画像を出力するプリンタ部３４とを含むようにする。【選択図】  図１
2010165110.tif 000002
【特許請求の範囲】
【請求項１】
端末装置とネットワークを介してデータ通信を行なう画像形成装置であって、
電子メールに基づく情報を前記端末装置から受信する受信手段と、
受信した前記情報に基づいて、前記電子メールの形式を判定するメール形式判定手段と、
前記メール形式判定手段の判定結果に応じて、前記電子メールの印刷範囲を決定する印刷範囲決定手段と、
前記電子メールにおける、前記印刷範囲決定手段によって決定された前記印刷範囲に基づく画像を出力する出力手段とを含むことを特徴とする画像形成装置。
【請求項２】
前記メール形式判定手段は、受信した前記情報に基づいて、前記電子メールが、電子メールの返信が繰返されることによって、電子メールの本文に、複数の、差出人情報、宛先情報、件名情報及び内容情報が含まれる応答形式の電子メールであるか、電子メールの転送が繰返されることによって、電子メールの本文に、複数の、差出人情報、宛先情報、件名情報及び内容情報が含まれる伝言形式の電子メールであるかを判定することを特徴とする請求項１に記載の画像形成装置。
【請求項３】
前記メール形式判定手段は、前記電子メールの本文に含まれる、前記差出人情報及び前記宛先情報に基づいて、前記電子メールが、前記応答形式の電子メールであるか、前記伝言形式の電子メールであるかを判定することを特徴とする請求項２に記載の画像形成装置。
【請求項４】
前記メール形式判定手段は、前記電子メールの本文に含まれる、前記差出人情報及び前記宛先情報に基づいて、１番目に新しい前記宛先情報に２番目に新しい前記差出人情報が含まれるか否か、及び、２番目に新しい前記宛先情報に１番目に新しい前記差出人情報が含まれるか否かを判定し、前記判定結果に基づいて、前記電子メールが、前記応答形式の電子メールであるか、前記伝言形式の電子メールであるかを判定することを特徴とする請求項３に記載の画像形成装置。
【請求項５】
前記メール形式判定手段は、前記電子メールの本文に含まれる前記差出人情報及び前記宛先情報に同じ情報があるか否かを判定し、前記同じ情報があると判定した場合には、前記同じ情報の数に基づいて、前記電子メールが、前記応答形式の電子メールであるか、前記伝言形式の電子メールであるかを判定することを特徴とする請求項３に記載の画像形成装置。
【請求項６】
前記メール形式判定手段は、前記電子メールの本文に含まれる前記件名情報の先頭文字列に基づいて、前記電子メールが、前記応答形式の電子メールであるか、前記伝言形式の電子メールであるかを判定することを特徴とする請求項２に記載の画像形成装置。
【請求項７】
前記メール形式判定手段は、前記電子メールの本文に含まれる前記件名情報の先頭文字列が転送メールであることを示す文字列である場合に、前記電子メールが、前記伝言形式の電子メールであると判定することを特徴とする請求項６に記載の画像形成装置。
【請求項８】
前記メール形式判定手段は、前記電子メールの本文に含まれる前記件名情報の先頭文字列が返信メールであることを示す文字列である場合に、前記電子メールが、前記応答形式の電子メールであると判定することを特徴とする請求項６又は請求項７に記載の画像形成装置。
【請求項９】
前記印刷範囲決定手段は、前記メール形式判定手段によって、前記電子メールが前記応答形式の電子メールであると判定された場合に、前記電子メールの本文に含まれる、１番目に新しい前記差出人情報、前記宛先情報、前記件名情報及び前記内容情報と、２番目に新しい前記差出人情報、前記宛先情報、前記件名情報及び前記内容情報とを、前記電子メールの印刷範囲として決定することを特徴とする請求項２〜請求項８のいずれか１つに記載の画像形成装置。
【請求項１０】
前記印刷範囲決定手段は、前記メール形式判定手段によって、前記電子メールが前記伝言形式の電子メールであると判定された場合に、前記電子メールの本文に含まれる、１番目に新しい前記差出人情報、前記宛先情報、前記件名情報及び前記内容情報から、最初の転送元となる前記差出人情報、前記宛先情報、前記件名情報及び前記内容情報までの範囲を、前記電子メールの印刷範囲として決定することを特徴とする請求項２〜請求項９のいずれか１つに記載の画像形成装置。
【請求項１１】
前記印刷範囲決定手段は、前記メール形式判定手段によって、前記電子メールが前記伝言形式の電子メール及び前記応答形式の電子メールのいずれでもないと判定された場合に、前記電子メールの本文の全てを、前記電子メールの印刷範囲として決定することを特徴とする請求項２〜請求項１０のいずれか１つに記載の画像形成装置。
【請求項１２】
表示手段と、
前記表示手段に対し、前記電子メールの本文における、前記印刷範囲決定手段によって決定された前記印刷範囲を除く部分に基づく画像を出力するか否かをユーザに判断させるための表示を表示させる表示制御手段と、
ユーザが、前記電子メールの本文における、前記印刷範囲決定手段によって決定された前記印刷範囲を除く部分に基づく画像を出力すると判断したことを受付ける受付手段とをさらに含み、
前記出力手段は、前記受付手段によって前記判断を受付けた場合に、前記電子メールの本文における、前記印刷範囲決定手段によって決定された前記印刷範囲を除く部分に基づく画像を出力することを特徴とする請求項１〜請求項１１のいずれか１つに記載の画像形成装置。
【発明の詳細な説明】
【技術分野】
【０００１】
本発明は、画像形成装置に関し、特に、電子メールの内容を印刷する技術に関する。
【背景技術】
【０００２】
近年、コンピュータネットワークが急速に普及して、パーソナルコンピュータ（以下「ＰＣ（Ｐｅｒｓｏｎａｌ  Ｃｏｍｐｕｔｅｒ）」と記す。）及びワークステーション等を利用した電子メールの使用が増大している。これに伴い、電子メールの内容を印刷する印刷装置が広く普及している。
【０００３】
例えば、後掲の特許文献１は、１枚の用紙に、受信した電子メールの本文の一部と、該本文を省略した旨を示す情報とを併せて印刷する印刷装置について開示している。特許文献１に開示される印刷装置によれば、電子メールの本文の内容を全て印刷する必要があるか否かの判断を、１枚の用紙に印刷された内容を確認することで行なうことができるので、不要な部分が無駄に印刷されることを防止することができる。
【０００４】
また、後掲の特許文献２は、電子メールを印刷する際に、少なくとも宛先及びｃｃ行のうちのいずれかが所定行数以上である場合には、所定行数以上である、少なくとも宛先及びｃｃ行のうちのいずれかを省略して印刷する電子メール印刷処理装置について開示している。特許文献１に開示される電子メール印刷処理装置によれば、宛先及びｃｃ行の行数が多い電子メールを印刷する場合に、印刷の無駄を少なくして、記録用紙の出力枚数及びインク等の記録剤の使用量を節約することができる。
【先行技術文献】
【特許文献】
【０００５】
【特許文献１】特開２００５−２１６２２９号公報
【特許文献２】特開２００４−１２６６７０号公報
【発明の概要】
【発明が解決しようとする課題】
【０００６】
特許文献１に開示される技術では、本文の内容において、予め設定された頁番号以降の頁の内容を省略している。特許文献２で開示される技術では、少なくとも宛先及びｃｃ行のうちのいずれか、すなわち本文の内容とは関係のない部分を省略している。そのため、特許文献１及び特許文献２に開示される技術では、電子メールの本文の内容において、印刷の必要な部分を効率的に抽出できていないという問題がある。
【０００７】
本発明は、上述の問題に鑑みてなされたものであって、その目的は、電子メールの本文の内容において、印刷の必要な部分を効率的に抽出して印刷することが可能な画像形成装置を提供することである。
【課題を解決するための手段】
【０００８】
本発明のある局面に係る画像形成装置は、端末装置とネットワークを介してデータ通信を行なう画像形成装置であって、電子メールに基づく情報を端末装置から受信する受信手段と、受信した情報に基づいて、電子メールの形式を判定するメール形式判定手段と、メール形式判定手段の判定結果に応じて、電子メールの印刷範囲を決定する印刷範囲決定手段と、電子メールにおける、印刷範囲決定手段によって決定された印刷範囲に基づく画像を出力する出力手段とを含む。
【０００９】
このように、電子メールの形式に応じて電子メールの印刷範囲を決定し、決定された印刷範囲に基づく画像が出力されるので、電子メールの本文の内容において、印刷の必要な部分を効率的に抽出して印刷することができる。これにより、印刷の無駄を少なくして、記録用紙の出力枚数及びインク等の記録剤の使用量を節約することができる。
【００１０】
好ましくは、メール形式判定手段は、受信した情報に基づいて、電子メールが、電子メールの返信が繰返されることによって、電子メールの本文に、複数の、差出人情報、宛先情報、件名情報及び内容情報が含まれる応答形式の電子メールであるか、電子メールの転送が繰返されることによって、電子メールの本文に、複数の、差出人情報、宛先情報、件名情報及び内容情報が含まれる伝言形式の電子メールであるかを判定する。
【００１１】
このように、メール形式判定手段は、電子メールが、応答形式の電子メールであるか、伝言形式の電子メールであるかを判定するので、印刷範囲決定手段は、応答形式の電子メール又は伝言形式の電子メールに応じた印刷範囲を決定することができる。したがって、電子メールの本文の内容において、印刷の必要な部分をより一層効率的に抽出して印刷することができる。
【００１２】
より好ましくは、メール形式判定手段は、電子メールの本文に含まれる差出人情報及び宛先情報に基づいて、電子メールが、応答形式の電子メールであるか、伝言形式の電子メールであるかを判定する。これにより、電子メールの形式の判定をより一層確実かつ容易に行なうことができるので、メール形式判定手段にかかる負荷を低減することができる。
【００１３】
さらに好ましくは、メール形式判定手段は、電子メールの本文に含まれる差出人情報及び宛先情報に基づいて、１番目に新しい宛先情報に２番目に新しい差出人情報が含まれるか否か、及び、２番目に新しい宛先情報に１番目に新しい差出人情報が含まれるか否かを判定し、上記判定結果に基づいて、電子メールが、応答形式の電子メールであるか、伝言形式の電子メールであるかを判定する。これにより、電子メールの形式の判定をさらに確実かつ容易に行なうことができるので、メール形式判定手段にかかる負荷をより一層低減することができる。
【００１４】
さらに好ましくは、メール形式判定手段は、電子メールの本文に含まれる差出人情報及び宛先情報に同じ情報があるか否かを判定し、同じ情報があると判定した場合には、同じ情報の数に基づいて、電子メールが、応答形式の電子メールであるか、伝言形式の電子メールであるかを判定する。これにより、電子メールの形式の判定をさらに確実かつ容易に行なうことができるので、メール形式判定手段にかかる負荷をより一層低減することができる。
【００１５】
さらに好ましくは、メール形式判定手段は、電子メールの本文に含まれる件名情報の先頭文字列に基づいて、電子メールが、応答形式の電子メールであるか、伝言形式の電子メールであるかを判定する。これにより、電子メールの形式の判定をより一層確実かつ容易に行なうことができるので、メール形式判定手段にかかる負荷を低減することができる。
【００１６】
さらに好ましくは、メール形式判定手段は、電子メールの本文に含まれる件名情報の先頭文字列が転送メールであることを示す文字列である場合に、電子メールが、伝言形式の電子メールであると判定する。これにより、電子メールの形式の判定をさらに確実かつ容易に行なうことができるので、メール形式判定手段にかかる負荷をより一層低減することができる。
【００１７】
さらに好ましくは、メール形式判定手段は、電子メールの本文に含まれる件名情報の先頭文字列が返信メールであることを示す文字列である場合に、電子メールが、応答形式の電子メールであると判定する。これにより、電子メールの形式の判定をさらに確実かつ容易に行なうことができるので、メール形式判定手段にかかる負荷をより一層低減することができる。
【００１８】
さらに好ましくは、印刷範囲決定手段は、メール形式判定手段によって、電子メールが応答形式の電子メールであると判定された場合に、電子メールの本文に含まれる、１番目に新しい差出人情報、宛先情報、件名情報及び内容情報と、２番目に新しい差出人情報、宛先情報、件名情報及び内容情報とを、電子メールの印刷範囲として決定する。
【００１９】
このように印刷範囲が決定されることによって、電子メールの本文の内容における、印刷の必要な部分をより一層効率的に抽出して印刷することができる。したがって、印刷の無駄を少なくして、記録用紙の出力枚数及びインク等の記録剤の使用量をより一層節約することができる。
【００２０】
さらに好ましくは、印刷範囲決定手段は、メール形式判定手段によって、電子メールが伝言形式の電子メールであると判定された場合に、電子メールの本文に含まれる、１番目に新しい差出人情報、宛先情報、件名情報及び内容情報から、最初の転送元となる差出人情報、宛先情報、件名情報及び内容情報までの範囲を、電子メールの印刷範囲として決定する。
【００２１】
このように印刷範囲が決定されることによって、電子メールの本文の内容における、印刷の必要な部分をより一層効率的に抽出して印刷することができる。したがって、印刷の無駄を少なくして、記録用紙の出力枚数及びインク等の記録剤の使用量をより一層節約することができる。
【００２２】
さらに好ましくは、印刷範囲決定手段は、メール形式判定手段によって、電子メールが伝言形式の電子メール及び応答形式の電子メールのいずれでもないと判定された場合に、電子メールの本文の全てを、電子メールの印刷範囲として決定する。
【００２３】
このように、電子メールが、伝言形式の電子メール及び応答形式の電子メールのいずれでもない場合には、電子メールの本文の全てが印刷範囲として決定されるので、電子メールの本文の内容における、印刷の必要な部分をより一層確実に印刷することができる。
【００２４】
さらに好ましくは、画像形成装置は、表示手段と、表示手段に対し、電子メールの本文における、印刷範囲決定手段によって決定された印刷範囲を除く部分に基づく画像を出力するか否かをユーザに判断させるための表示を表示させる表示制御手段と、ユーザが、電子メールの本文における、印刷範囲決定手段によって決定された印刷範囲を除く部分に基づく画像を出力すると判断したことを受付ける受付手段とをさらに含み、出力手段は、受付手段によって上記の判断を受付けた場合に、電子メールの本文における、印刷範囲決定手段によって決定された印刷範囲を除く部分に基づく画像を出力する。
【００２５】
このように、画像形成装置は、ユーザが、電子メールの本文における、印刷範囲決定手段によって決定された印刷範囲を除く部分に基づく画像を出力すると判断した場合に、印刷範囲決定手段によって決定された印刷範囲を除く部分に基づく画像を出力するので、例えば、印刷範囲決定手段によって決定された印刷範囲に基づく画像を確認したユーザが、電子メールの本文の内容の全てを確認したいと考えた場合に、ユーザの要望を達成することができる。したがって、ユーザの利便性がより一層向上する。
【発明の効果】
【００２６】
本発明によれば、画像形成装置は、電子メールの形式に応じて電子メールの印刷範囲を決定し、決定された印刷範囲に基づく画像が出力されるので、電子メールの本文の内容において、印刷の必要な部分を効率的に抽出して印刷することができる。これにより、印刷の無駄を少なくして、記録用紙の出力枚数及びインク等の記録剤の使用量を節約することができる。
【図面の簡単な説明】
【００２７】
【図１】本発明の一実施の形態に係る画像形成装置を含む電子メール印刷システムの構成を示す図である。
【図２】情報処理装置の構成を示すブロック図である。
【図３】メール形式判定処理を実現するためのコンピュータプログラムの制御構造をフローチャート形式で示す図である。
【図４】メール形式判定処理を実現するためのコンピュータプログラムの制御構造をフローチャート形式で示す図である。
【図５】電子メールの一例を示す図である。
【図６】電子メールの一例を示す図である。
【図７】本変形例に係るメール形式判定処理を実現するためのプログラムの制御構造をフローチャート形式で示す図である。
【発明を実施するための形態】
【００２８】
以下の説明及び図面においては、同一の部品には同一の参照符号及び名称を付してある。それらの機能も同様である。したがって、それらについての詳細な説明は繰返さない。
【００２９】
図１は、本発明の一実施の形態に係る画像形成装置２２を含む電子メール印刷システム１０の構成を示す図である。図１を参照して、電子メール印刷システム１０は、画像形成装置２２と、情報処理装置１２とを含む。画像形成装置２２及び情報処理装置１２は、ＬＡＮ（Ｌｏｃａｌ  Ａｒｅａ  Ｎｅｔｗｏｒｋ）回線等からなるネットワーク２０を介して互いに接続され、電子メールに基づく画像データを含む各種データを相互に送受できる。
【００３０】
情報処理装置１２は、画像形成装置２２を利用するために一般のユーザによって操作される、例えば、ＰＣ等の端末装置である。なお、図１には情報処理装置１２を１つのみ図示するが、実際には多数存在する。
【００３１】
電子メール印刷システム１０において、情報処理装置１２から画像形成装置２２に対して印刷ジョブの実行を命令する命令信号と画像データとが送信されると、画像形成装置２２はその命令信号に応答して、印刷ジョブを実行する。
【００３２】
〈ハードウェア構成〉
［画像形成装置２２］
図１を参照して、画像形成装置２２は、デジタル複合機である。画像形成装置２２は、制御部２４、メール形式判定部３０、スキャナ部３２、プリンタ部３４、画像処理部３５、操作パネル３６、ＮＩＣ（Ｎｅｔｗｏｒｋ  Ｉｎｔｅｒｆａｃｅ  Ｃａｒｄ）３８、及び、電源制御部３９を含む。
【００３３】
制御部２４は、実質的にコンピュータであって、ＣＰＵ４０、ＲＯＭ４２、ＲＡＭ４４及びＨＤＤ４６を含む。ＣＰＵ４０には、ＢＵＳライン２６が接続されており、このＢＵＳライン２６には、ＲＯＭ４２、ＲＡＭ４４、及び、ＨＤＤ４６が電気的に接続される。ＣＰＵ４０は、操作パネル３６等からの指示に応じて各種コンピュータプログラムを実行することによって、画像形成装置２２の各部の動作及び情報処理装置１２との通信等の所望の処理を実行する。上記の各種コンピュータプログラムは、予めＲＯＭ４２又はＨＤＤ４６に記憶されており、所望の処理の実行時において、当該ＲＯＭ４２又はＨＤＤ４６から読出されてＲＡＭ４４に転送される。ＣＰＵ４０は、ＣＰＵ４０内の図示しないプログラムカウンタと呼ばれるレジスタに格納された値によって指定される、ＲＡＭ４４内のアドレスからプログラムの命令を読出し、解釈する。ＣＰＵ４０はまた、読出された命令によって指定されるアドレスから演算に必要なデータを読出し、そのデータに対し命令に対応する演算を実行する。実行の結果も、ＲＡＭ４４、ＨＤＤ４６及びＣＰＵ４０内のレジスタ等の、命令によって指定されるアドレスに格納される。
【００３４】
本実施の形態において、ＨＤＤ４６には、画像形成装置２２の一般的な動作を実現するためのコンピュータプログラムとともに、メール形式判定部３０による後述するメール形式判定処理を実現するためのコンピュータプログラムが記憶される。このコンピュータプログラムは、ネットワーク２０及びＮＩＣ３８を介して情報処理装置１２から提供される。なお、このコンピュータプログラムは、そのコンピュータプログラムが記録された、例えばＤＶＤ等の記録媒体によって提供されてもよい。すなわち、コンピュータプログラムの記録媒体としてのＤＶＤが、画像形成装置２２内に内蔵されるＤＶＤドライブ（図示せず。）に装着され、そのＤＶＤからコンピュータプログラムが読出されてＨＤＤ４６にインストールされてもよい。このコンピュータプログラムにおける、メール形式判定処理を実現するためのプログラム構造については後述する。
【００３５】
ＨＤＤ４６は、また、メール形式判定用データベース（以下「メール形式判定用ＤＢ」と記す。）を記憶する。テーブル１に、メール形式判定用ＤＢの一例を示す。
【００３６】
【表１】
2010165110.tif 000003
【００３７】
テーブル１を参照して、メール形式判定用ＤＢは、差出人情報及び宛先情報の番号を保存するための番号欄と、差出人情報を保存するための差出人情報欄と、宛先情報を保存するための宛先情報欄とを含む。上記した差出人情報及び宛先情報の番号は、電子メールの本文に含まれる少なくとも１つ以上の差出人情報及び宛先情報に対し、最新の情報から最古の情報に向かって、順に付される番号である。また、差出人情報とは、差出人の電子メールアドレス及び差出人名等を示し、宛先情報とは、宛先、すなわち送信相手先の電子メールアドレス及び宛先名等を示す。メール形式判定用ＤＢにおいて、例えば、１番目に新しい差出人情報「Ａ」は、１番に対応する差出人情報欄に記憶され、１番目に新しい宛先情報「Ｂ，Ｃ，Ｄ，Ｅ」は、１番に対応する宛先情報欄に保存される。
【００３８】
ＨＤＤ４６は、また、電子メールの形式を判定するために使用する、予め定める判定値を記憶する。電子メールには、応答形式の電子メール、伝言形式の電子メール、及び、通常形式の電子メールがある。ここで、応答形式の電子メールとは、電子メールの返信が繰返されることによって、電子メールの本文に、複数の、差出人情報、宛先情報、件名情報及び内容情報が含まれる電子メール（以下「返信メール」と記す場合がある。）のことである。伝言形式の電子メールとは、電子メールの転送が繰返されることによって、電子メールの本文に、複数の、差出人情報、宛先情報、件名情報及び内容情報が含まれる電子メール（以下「転送メール」と記す場合がある。）のことである。通常形式の電子メールとは、応答形式及び伝言形式を除いた形式の電子メールのことである。電子メールの形式は、後述する変数ｉが、予め定める判定値であるか否かに基づいて判定される。本実施の形態では、判定値は、後述する変数ｉが２である場合には応答形式の電子メールであると判定され、１である場合には伝言形式の電子メールであると判定され、０である場合には通常形式の電子メールであると判定されるように、予め設定されている。
【００３９】
ＨＤＤ４６は、他に、画像データ等を含む各種データを記憶する。
【００４０】
ＢＵＳライン２６には、さらに、メール形式判定部３０、スキャナ部３２、プリンタ部３４、画像処理部３５、操作パネル３６、ＮＩＣ３８、及び、電源制御部３９が電気的に接続される。
【００４１】
メール形式判定部３０は、実際には制御部２４により実行されるプログラムによって実現される。メール形式判定部３０は、情報処理装置１２から、メール形式別印刷ジョブの実行を命令する命令信号と、電子メールに基づく画像データとを受信した際に、電子メールの形式を判定する。
【００４２】
スキャナ部３２は、原稿検知センサ及びＣＣＤ（Ｃｈａｒｇｅ−Ｃｏｕｐｌｅｄ  Ｄｅｖｉｃｅ）ラインセンサ（以上いずれも図示せず。）を含む。原稿検知センサは、ユーザによって手動で、又は、自動原稿搬送装置（図示せず。）によって、原稿載置台（図示せず。）上に載置された原稿の画像表面に対し光源（図示せず。）から光を照射することによって得られる反射光像をＣＣＤラインセンサ上に結像させる。ＣＣＤラインセンサは、結像された反射光像を順次光電変換して画像データとして画像処理部３５に対して出力する。すなわち、スキャナ部３２は、原稿のコピー時又はスキャン時に、原稿載置台に載置される原稿から原稿検知センサによって画像情報を読取り、読取った画像情報をＣＣＤラインセンサによって電気信号に変換して画像データとして画像処理部３５に対して出力する。
【００４３】
プリンタ部３４は、画像メモリ４８及び印字部５０を含む。画像メモリ４８は、ＲＡＭを含み、画像データをページ単位で一時的に記憶する。画像メモリ４８は、制御部２４等からの指示に応じて、印字部５０に送信するための、例えば、画像処理部３５から入力される出力画像データをページ単位で一時的に記憶し、記憶した出力画像データを印字部５０による画像形成に同期して、印字部５０に対して出力する。印字部５０は、感光体ドラム、帯電器、ＬＳＵ（Ｌａｓｅｒ  Ｓｃａｎｎｉｎｇ  Ｕｎｉｔ）、現像装置、転写装置、クリーニング装置及び定着装置（以上いずれも図示せず。）、並びに、画像形成装置２２に着脱自在に装着されるトナーカートリッジを含む。印字部５０は、さらに、画像形成装置２２に着脱自在に装着される、手差し給紙トレイ、第１給紙トレイ及び第２給紙トレイ（以上いずれも図示せず。）を含む。これらの給紙トレイは、この順で上下に並ぶように設置され、記録用紙を保持し、用紙搬送部（図示せず。）に記録用紙を送給する。手差し給紙トレイは、ユーザが手動により所望の記録用紙を設置するためのトレイであり、第１給紙トレイ及び第２給紙トレイは、異なる大きさの記録用紙を保持するためのトレイである。印字部５０は、制御部２４等からの指示に応じて、上記給紙トレイのいずれかから用紙搬送部を介して搬送される記録用紙上に、画像メモリ４８から送信される画像データに基づく画像を印刷する。
【００４４】
画像処理部３５は、ＭＰＵ（Ｍｉｃｒｏ  Ｐｒｏｃｅｓｓｉｎｇ  Ｕｎｉｔ、図示せず。）を含む。画像処理部３５は、スキャナ部３２、又は、情報処理装置１２から入力される画像データ（以下「入力画像データ」と記す場合がある。）に対して、例えば、色補正処理、及び、印刷範囲決定処理等の所定の処理を含む各種処理を施して所定の階調の出力画像データを作成し、プリンタ部３４に対して出力する。
【００４５】
以下、画像処理部３５にて実行される印刷範囲決定処理について説明する。画像処理部３５は、メール形式判定部３０から、電子メールが応答形式の電子メールであることを示す通知を受信した場合には、画像データから応答形式用印刷範囲を抽出し、抽出した応答形式用印刷範囲に基づく出力画像データを作成する。
【００４６】
画像処理部３５は、また、メール形式判定部３０から、電子メールが伝言形式の電子メールであることを示す通知を受信した場合には、画像データから伝言形式用印刷範囲を抽出し、抽出した伝言形式用印刷範囲に基づく出力画像データを作成する。
【００４７】
画像処理部３５は、また、メール形式判定部３０から、電子メールが通常形式の電子メールであることを示す通知を受信した場合には、印刷範囲の抽出を行なわず、情報処理装置１２から入力された画像データの全範囲に基づく出力画像データを作成する。
【００４８】
上記のようにして決定される印刷範囲は、電子メールの本文の内容において印刷の必要な部分である。応答形式用印刷範囲及び伝言形式用印刷範囲は、画像形成装置２２の操作パネル３６又は後述する情報処理装置１２の操作部１１４からのユーザによる入力操作等によって、予め設定されるものとする。
【００４９】
操作パネル３６は、液晶ディスプレイからなる表示出力部と、操作ボタン及びタッチパネル等からなる操作インターフェイス部とを含む。表示出力部は、画像形成装置２２の状態及び各種処理の状態に関する情報等の各種情報をユーザに提供する。操作インターフェイス部は、ユーザが画像形成装置２２を操作するためのインターフェイスを提供する。操作パネル３６は、また、液晶ディスプレイとタッチパネルとを重ねて構成される、ユーザに対して対話的な操作インターフェイスを提供する。この対話的な操作インターフェイスは、タッチパネルから画像形成装置２２全体の動作に対するユーザの指示を受付けて、その指示の内容を液晶ディスプレイに表示するとともに、その指示に応じた制御信号を制御部２４又は画像処理部３５のＭＰＵに対して出力する。操作パネル３６は、さらに、電源オン指示及び電源オフ指示を入力するための電源ボタン、並びに、印刷ジョブを開始させるための印刷スタートキー等を含む。
【００５０】
ＮＩＣ３８は、ネットワーク２０とのインターフェイスをとる。画像形成装置２２は、このＮＩＣ３８を介して、ネットワーク２０上の情報処理装置１２と、所定の通信プロトコルに従ったデータ通信を行なうことができる。画像形成装置２２は、ＮＩＣ３８を介して、情報処理装置１２からメール形式別印刷ジョブ等の各種処理の実行を命令する命令信号を受信することができる。
【００５１】
電源制御部３９は、外部電源５２と電気的に接続される。電源制御部３９は、画像形成装置２２の各部の動作に必要な電力を外部電源５２から取得し、取得した電力を画像形成装置２２の各部に供給する。
【００５２】
画像形成装置２２は、上述した各部を動作させることによって、操作パネル３６からのユーザの入力操作による指示又は情報処理装置１２等からの指示に応じて、原稿画像を読取り記録用紙に印刷するコピーモード、情報処理装置１２等から送信される画像データを受信して記録用紙に印刷する印刷モード、及び、原稿画像を読取り情報処理装置１２等に送信するスキャナモード等の各種のモードのいずれかを実行する。
【００５３】
［情報処理装置１２］
図２は、情報処理装置１２の構成を示すブロック図である。図２を参照して、情報処理装置１２は、制御部１００、ＨＤＤ１１２、操作部１１４、表示部１１６、及び、ＮＩＣ１１８を含む。
【００５４】
制御部１００は、実質的にコンピュータであって、ＣＰＵ１２２、ＲＯＭ１２４、及び、ＲＡＭ１２６を含む。ＣＰＵ１２２には、ＢＵＳライン１２８が接続されており、このＢＵＳライン１２８には、ＲＯＭ１２４及びＲＡＭ１２６が電気的に接続される。ＣＰＵ１２２は、画像形成装置２２等を含む外部装置又は操作部１１４等からの指示に応じて各種コンピュータプログラムを実行することによって、情報処理装置１２の各部の動作及び外部装置との通信等の所望の処理を実行する。上記の各種コンピュータプログラムは、予めＲＯＭ１２４又はＨＤＤ１１２に記憶されており、所望の処理の実行時において、当該ＲＯＭ１２４又はＨＤＤ１１２から読出されてＲＡＭ１２６に転送される。ＣＰＵ１２２は、ＣＰＵ１２２内の図示しないプログラムカウンタと呼ばれるレジスタに格納された値によって指定される、ＲＡＭ１２６内のアドレスからプログラムの命令を読出し、解釈する。ＣＰＵ１２２はまた、読出された命令によって指定されるアドレスから演算に必要なデータを読出し、そのデータに対し命令に対応する演算を実行する。実行の結果も、ＲＡＭ１２６，ＨＤＤ１１２及びＣＰＵ１２２内のレジスタ等の、命令によって指定されるアドレスに格納される。
【００５５】
ＢＵＳライン１２８には、さらに、ＨＤＤ１１２、操作部１１４、表示部１１６、及び、ＮＩＣ１１８が電気的に接続される。ＨＤＤ１１２は、磁気記憶媒体を備え、画像データ及び電子メール情報等を含む各種データを記憶する記憶領域を提供する。
【００５６】
ＨＤＤ１１２は、さらに、電子メールの送受信を行なうためのアプリケーションソフト
を記憶する。情報処理装置１２は、このアプリケーションソフトを実行することによって、受信した電子メールに基づく電子メール情報をＨＤＤ１１２に保存させる動作、受信した電子メールの内容を表示部１１６に表示させる動作、受信した電子メールの内容を画像形成装置２２に印刷させる動作等を実現することができる。なお、このアプリケーションソフトは、そのアプリケーションソフトが記録された、例えばＤＶＤ等の記録媒体によって提供されてもよい。すなわち、アプリケーションソフトの記録媒体としてのＤＶＤが、情報処理装置１２内に内蔵されるＤＶＤドライブ（図示せず。）に装着され、そのＤＶＤからアプリケーションソフトが読出されてＨＤＤ１１２にインストールされてもよい。
【００５７】
操作部１１４は、ユーザの指示等に応じた各種入力及び文字入力等を行なうためのキーボード、及び、マウス等のポインティングデバイス等を含む入力装置である。表示部１１６は、情報処理装置１２の処理結果等を表示するための、液晶ディスプレイ等からなる表示装置である。操作部１１４及び表示部１１６は、インターフェイス（図示せず。）を介してＢＵＳライン１２８と接続される。
【００５８】
情報処理装置１２は、ＮＩＣ１１８を介してネットワーク２０に接続されており、ネットワーク２０上に接続される画像形成装置２２等を含む外部装置とのデータ通信が可能である。情報処理装置１２は、ＮＩＣ１１８を介して、メール形式別印刷ジョブ等の各種処理の実行を命令する命令信号を、画像形成装置２２に対して送信することができる。
【００５９】
情報処理装置１２の各部には電源（図示せず。）が接続され、この電源から電力が供給されることで、情報処理装置１２の各部が動作する。
【００６０】
情報処理装置１２は、ユーザによる操作部１１４からの入力操作によって、印刷を所望する電子メールが選択されるとともに、メール形式別印刷ジョブを実行することを要求する指示がなされると、メール形式別印刷ジョブの実行を命令する命令信号と、選択された電子メールに基づく画像データとを画像形成装置２２に対して送信する。
【００６１】
〈ソフトウェア構成〉
[画像形成装置２２]
図３及び図４は、メール形式判定処理を実現するためのコンピュータプログラムの制御構造をフローチャート形式で示す図である。上述したように、ＨＤＤ４６に記憶されるコンピュータプログラムは、メール形式判定部３０によるメール形式判定処理を実行するようにプログラミングされている。このメール形式判定処理は、ＣＰＵ４０が、上記コンピュータプログラムに従って、メール形式判定部３０を含む画像形成装置２２の各部の動作を制御することによって、ハードウェアとコンピュータプログラムとの協働により実現する、メール形式判定機能によって実行される。なお、このメール形式判定機能とは、メール形式判定部３０が、電子メールの本文に含まれる差出人情報及び宛先情報に基づいて、１番目に新しい宛先情報に２番目に新しい差出人情報が含まれるか否か、及び、２番目に新しい宛先情報に１番目に新しい差出人情報が含まれるか否かを判定し、判定結果に基づいて、電子メールが、応答形式の電子メールであるか、伝言形式の電子メールであるかを判定する機能のことである。
【００６２】
メール形式判定処理を実現するためのコンピュータプログラムは、画像形成装置２２が、情報処理装置１２から送信される、メール形式別印刷ジョブの実行を命令する命令信号と、電子メールに基づく画像データとを受信することによって起動される。
【００６３】
図３及び図４を参照して、このプログラムは、受信した画像データをＲＡＭ４４に一時的に記憶させるステップＳ１００と、変数ｎに１を代入するとともに、変数ｉに０を代入するステップＳ１０１とを含む。ここで、変数ｎは、差出人情報及び宛先情報の番号を示す値を格納する。また、変数ｉは、後述するステップＳ１１３及びステップＳ１１５において、電子メールの形式を判定する際に使用される値を格納する。
【００６４】
このプログラムはさらに、受信した画像データに基づいて、電子メールの本文に、ｎ番目の差出人情報が含まれるか否かを判定するステップＳ１０２と、ステップＳ１０２において、ｎ番目の差出人情報が含まれると判定された場合（ＹＥＳの場合）に実行され、ｎ番目の差出人情報をメール形式判定用ＤＢのｎ番に対応する差出人情報欄に保存するステップＳ１０３とを含む。
【００６５】
このプログラムはさらに、ステップＳ１０２において、ｎ番目の差出人情報が含まれないと判定された場合（ＮＯの場合）、又は、ステップＳ１０３の処理後に実行され、受信した画像データに基づいて、電子メールの本文に、ｎ番目の宛先情報が含まれるか否かを判定するステップＳ１０４と、ステップＳ１０４において、ｎ番目の宛先情報が含まれると判定された場合（ＹＥＳの場合）に実行され、ｎ番目の宛先情報をメール形式判定用ＤＢのｎ番に対応する宛先情報欄に保存するステップＳ１０５と、変数ｎを１増加させるステップＳ１０６とを含む。ステップＳ１０６の処理後、制御はステップＳ１０２に戻る。
【００６６】
このプログラムはさらに、ステップＳ１０４において、ｎ番目の宛先情報が含まれないと判定された場合（ＮＯの場合）、すなわち全ての差出人情報及び宛先情報が保存された後に実行され、メール形式判定用ＤＢの２番に対応する差出人情報欄及び宛先情報欄の両方に情報が保存されているか否かを判定することで、電子メールの本文に２番目の差出人情報及び宛先情報（以下、単に「２番目の情報」と記す。）が含まれているか否かを判定するステップＳ１０７と、ステップＳ１０７において、２番目の情報が含まれていると判定された場合（ＹＥＳの場合）に実行され、メール形式判定用ＤＢから１番目の差出人情報及び宛先情報（以下、単に「１番目の情報」と記す。）と２番目の情報とを抽出するステップＳ１０８と、抽出した情報に基づいて、１番目の宛先情報の中に２番目の差出人情報が含まれるか否かを判定するステップＳ１０９とを含む。１番目の宛先情報の中に２番目の差出人情報が含まれる場合には、画像データは、返信メールに基づく画像データである可能性がある。
【００６７】
このプログラムはさらに、ステップＳ１０９において、１番目の宛先情報の中に２番目の差出人情報が含まれると判定された場合（ＹＥＳの場合）に実行され、変数ｉを１増加させるステップＳ１１０を含む。
【００６８】
このプログラムはさらに、ステップＳ１０９において、１番目の宛先情報の中に２番目の差出人情報が含まれないと判定された場合（ＮＯの場合）、又は、ステップＳ１１０の処理後に実行され、２番目の宛先情報の中に１番目の差出人情報が含まれるか否かを判定するステップＳ１１１を含む。２番目の宛先情報の中に１番目の差出人情報が含まれる場合には、画像データは、返信メール及び転送メールのいずれかに基づく画像データである可能性がある。
【００６９】
このプログラムはさらに、ステップＳ１１１において、２番目の宛先情報の中に１番目の差出人情報が含まれると判定された場合（ＹＥＳの場合）に実行され、変数ｉを１増加させるステップＳ１１２と、ステップＳ１１１において、２番目の宛先情報の中に１番目の差出人情報が含まれないと判定された場合（ＮＯの場合）、又は、ステップＳ１１２の処理後に実行され、変数ｉが２であるか否かを判定するステップＳ１１３と、ステップＳ１１３において、変数ｉが２であると判定された場合（ＹＥＳの場合）に実行され、電子メールが応答形式の電子メールであることを画像処理部３５に対して通知するステップＳ１１４とを含む。
【００７０】
このプログラムはさらに、ステップＳ１１３において、変数ｉが２ではないと判定された場合（ＮＯの場合）に実行され、変数ｉが１であるか否かを判定するステップＳ１１５と、ステップＳ１１５において、変数ｉが１であると判定された場合（ＹＥＳの場合）に実行され、電子メールが伝言形式の電子メールであることを画像処理部３５に対して通知するステップＳ１１６とを含む。
【００７１】
このプログラムはさらに、ステップＳ１１５において、変数ｉが１ではないと判定された場合（ＮＯの場合）、すなわち変数ｉが０である場合、又は、ステップＳ１０７において、２番目の情報が含まれていないと判定された場合（ＮＯの場合）に実行され、電子メールが通常形式の電子メールであることを画像処理部３５に対して通知するステップＳ１１７とを含む。
【００７２】
〈動作〉  
図１〜図４を参照して、本実施の形態に係る画像形成装置２２は、メール形式別印刷ジョブの実行時において、以下のように動作する。なお、メール形式別印刷ジョブ実行時における動作を除く、画像形成装置２２の一般的な機能を実現するための動作は、従来の画像形成装置における動作と同様である。
【００７３】
情報処理装置１２のユーザは、操作部１１４からの入力操作によって、印刷を所望する電子メールを選択するとともに、メール形式別印刷ジョブを実行することを要求する指示を出す。情報処理装置１２は、操作部１１４からの指示に応答して、メール形式別印刷ジョブの実行を命令する命令信号と、選択された電子メールに基づく画像データとを画像形成装置２２に対して送信する。
【００７４】
画像形成装置２２のメール形式判定部３０は、上記した命令信号と画像データとを受信すると、受信した画像データをＲＡＭ４４に一時的に記憶させた後（Ｓ１００）、変数ｎに１を代入するとともに、変数ｉに０を代入する（Ｓ１０１）。
【００７５】
図５は、電子メール５００の一例を示す図である。図５を参照して、電子メール５００は、返信メールである。電子メール５００の本文は、１番目の差出人情報５０１ａ、２番目の差出人情報５０１ｂ、１番目の宛先情報５０２ａ、２番目の宛先情報５０２ｂ、１番目の件名情報５０３ａ、２番目の件名情報５０３ｂ、１番目の内容情報５０４ａ、及び、２番目の内容情報５０４ｂを含む。
【００７６】
図６は、電子メール６００の一例を示す図である。図６を参照して、電子メール６００は、転送メールである。電子メール６００の本文は、１番目の差出人情報６０１ａ、２番目の差出人情報６０１ｂ、３番目の差出人情報６０１ｃ、１番目の宛先情報６０２ａ、２番目の宛先情報６０２ｂ、３番目の宛先情報６０２ｃ、１番目の件名情報６０３ａ、２番目の件名情報６０３ｂ、３番目の件名情報６０３ｃ、１番目の内容情報６０４ａ、２番目の内容情報６０４ｂ、及び、３番目の内容情報６０４ｃを含む。
【００７７】
以下、電子メールが返信メールである場合と、転送メールである場合と、通常のメールである場合とに区別して、メール形式別印刷ジョブ実行時の動作を説明する。
【００７８】
（電子メールが返信メールである場合）
受信した画像データが電子メール５００に基づく画像データである場合、メール形式判定部３０は、電子メールの本文に１番目の差出人情報５０１ａが含まれるか否かを判定する（Ｓ１０２）。メール形式判定部３０は、１番目の差出人情報５０１ａが含まれると判定し（Ｓ１０２にてＹＥＳ）、１番目の差出人情報５０１ａである「Ａ」をメール形式判定用ＤＢの１番に対応する差出人情報欄に保存する（Ｓ１０３）。
【００７９】
１番目の差出人情報５０１ａの保存後、メール形式判定部３０は、電子メールの本文に１番目の宛先情報５０２ａが含まれるか否かを判定する（Ｓ１０４）。メール形式判定部３０は、１番目の宛先情報５０２ａが含まれると判定し（Ｓ１０４にてＹＥＳ）、１番目の宛先情報５０２ａである「Ｂ，Ｃ，Ｄ，Ｅ，Ｆ」をメール形式判定用ＤＢの１番に対応する宛先情報欄に保存する（Ｓ１０５）とともに、変数ｎを１増加させて２とする（Ｓ１０６）。
【００８０】
変数ｎのインクリメント後、メール形式判定部３０は、電子メールの本文に２番目の差出人情報５０１ｂが含まれるか否かを判定する（Ｓ１０２）。メール形式判定部３０は、２番目の差出人情報５０１ｂが含まれると判定し（Ｓ１０２にてＹＥＳ）、２番目の差出人情報５０１ｂである「Ｂ」をメール形式判定用ＤＢの２番に対応する差出人情報欄に保存する（Ｓ１０３）。
【００８１】
２番目の差出人情報５０１ｂの保存後、メール形式判定部３０は、電子メールの本文に２番目の宛先情報５０２ｂが含まれるか否かを判定する（Ｓ１０４）。メール形式判定部３０は、２番目の宛先情報５０２ｂが含まれると判定し（Ｓ１０４にてＹＥＳ）、２番目の宛先情報５０２ｂである「Ａ，Ｃ，Ｄ，Ｅ，Ｆ」をメール形式判定用ＤＢの２番に対応する宛先情報欄に保存する（Ｓ１０５）とともに、変数ｎを１増加させて３とする（Ｓ１０６）。
【００８２】
変数ｎのインクリメント後、メール形式判定部３０は、電子メールの本文に３番目の差出人情報が含まれるか否かを判定する（Ｓ１０２）。メール形式判定部３０は、３番目の差出人情報が含まれないと判定し（Ｓ１０２にてＮＯ）、電子メールの本文に３番目の宛先情報が含まれるか否かを判定する（Ｓ１０４）。テーブル２に、画像データが電子メール５００に基づく画像データである場合のメール形式判定用ＤＢを示す。
【００８３】
【表２】
2010165110.tif 000004
【００８４】
テーブル２を参照して、メール形式判定用ＤＢには、電子メール５００の本文に含まれる全ての差出人情報５０１ａ，５０１ｂ及び宛先情報５０２ａ，５０２ｂに基づく情報が保存されている。
【００８５】
メール形式判定部３０は、３番目の宛先情報が含まれないと判定する（Ｓ１０４にてＮＯ）と、メール形式判定用ＤＢの２番に対応する差出人情報欄及び宛先情報欄の両方に情報が保存されているか否かを判定することで、電子メールの本文に２番目の情報が含まれているか否かを判定する（Ｓ１０７）。メール形式判定部３０は、２番目の情報が含まれていると判定し（Ｓ１０７にてＹＥＳ）、メール形式判定用ＤＢから１番目の情報と２番目の情報とを抽出する（Ｓ１０８）。
【００８６】
メール形式判定部３０は、さらに、抽出した情報に基づいて、１番目の宛先情報の中に２番目の差出人情報が含まれるか否かを判定する（Ｓ１０９）。メール形式判定部３０は、１番目の宛先情報「Ｂ，Ｃ，Ｄ，Ｅ，Ｆ」の中に２番目の差出人情報「Ｂ」が含まれる
と判定し（Ｓ１０９にてＹＥＳ）、変数ｉを１増加させて１とする（Ｓ１１０）。
【００８７】
変数ｉのインクリメント後、メール形式判定部３０は、２番目の宛先情報の中に１番目の差出人情報が含まれるか否かを判定する（Ｓ１１１）。メール形式判定部３０は、２番目の宛先情報「Ａ，Ｃ，Ｄ，Ｅ，Ｆ」の中に１番目の差出人情報「Ａ」が含まれると判定し（Ｓ１１１にてＹＥＳ）、変数ｉを１増加させて２とする（Ｓ１１２）。
【００８８】
変数ｉのインクリメント後、メール形式判定部３０は、変数ｉが２であるか否かを判定する（Ｓ１１３）。メール形式判定部３０は、変数ｉが２であると判定し（Ｓ１１３にてＹＥＳ）、電子メールが応答形式の電子メールであることを画像処理部３５に対して通知する（Ｓ１１４）。
【００８９】
画像処理部３５は、情報処理装置１２から入力された画像データに対し、色補正処理、及び、印刷範囲決定処理等を含む所定の処理を含む各種処理を施して所定の階調の出力画像データを作成し、プリンタ部３４に対して出力する。このとき、画像処理部３５は、メール形式判定部３０から、電子メールが応答形式の電子メールであることを示す通知を受信しているので、画像データから応答形式用印刷範囲を抽出し、抽出した応答形式用印刷範囲に基づく出力画像データを作成する。本実施の形態では、最新の返信内容を示す、１番目の差出人情報５０１ａ、宛先情報５０２ａ、件名情報５０３ａ及び内容情報５０４ａと、上記返信内容の返信元の内容となる、２番目の差出人情報５０１ｂ、宛先情報５０２ｂ、件名情報５０３ｂ及び内容情報５０４ｂとが、応答形式用印刷範囲５１０（図５参照）として、予め設定されている。
【００９０】
プリンタ部３４は、画像処理部３５から入力される出力画像データに基づいて、記録用紙に対して画像を印刷する。
【００９１】
（電子メールが転送メールである場合）
画像データが電子メール６００に基づく画像データである場合、メール形式判定部３０は、電子メールの本文に１番目の差出人情報６０１ａが含まれるか否かを判定する（Ｓ１０２）。メール形式判定部３０は、１番目の差出人情報６０１ａが含まれると判定し（Ｓ１０２にてＹＥＳ）、１番目の差出人情報６０１ａである「Ｂ」をメール形式判定用ＤＢの１番に対応する差出人情報欄に保存する（Ｓ１０３）。
【００９２】
１番目の差出人情報６０１ａの保存後、メール形式判定部３０は、電子メールの本文に１番目の宛先情報６０２ａが含まれるか否かを判定する（Ｓ１０４）。メール形式判定部３０は、１番目の宛先情報６０２ａが含まれると判定し（Ｓ１０４にてＹＥＳ）、１番目の宛先情報６０２ａである「ｂ−１，ｂ−２，ｂ−３」をメール形式判定用ＤＢの１番に対応する宛先情報欄に保存する（Ｓ１０５）とともに、変数ｎを１増加させて２とする（Ｓ１０６）。
【００９３】
変数ｎのインクリメント後、メール形式判定部３０は、電子メールの本文に２番目の差出人情報６０１ｂが含まれるか否かを判定する（Ｓ１０２）。メール形式判定部３０は、２番目の差出人情報６０１ｂが含まれると判定し（Ｓ１０２にてＹＥＳ）、２番目の差出人情報６０１ｂである「Ａ」をメール形式判定用ＤＢの２番に対応する差出人情報欄に保存する（Ｓ１０３）。
【００９４】
２番目の差出人情報６０１ｂの保存後、メール形式判定部３０は、電子メールの本文に２番目の宛先情報６０２ｂが含まれるか否かを判定する（Ｓ１０４）。メール形式判定部３０は、２番目の宛先情報６０２ｂが含まれると判定し（Ｓ１０４にてＹＥＳ）、２番目の宛先情報６０２ｂである「Ｂ，Ｃ，Ｄ，Ｅ，Ｆ」をメール形式判定用ＤＢの２番に対応する宛先情報欄に保存する（Ｓ１０５）とともに、変数ｎを１増加させて３とする（Ｓ１０６）。
【００９５】
変数ｎのインクリメント後、メール形式判定部３０は、電子メールの本文に３番目の差出人情報６０１ｃが含まれるか否かを判定する（Ｓ１０２）。メール形式判定部３０は、３番目の差出人情報６０１ｃが含まれると判定し（Ｓ１０２にてＹＥＳ）、３番目の差出人情報６０１ｃである「Ｘ」をメール形式判定用ＤＢの３番に対応する差出人情報欄に保存する（Ｓ１０３）。
【００９６】
３番目の差出人情報６０１ｃの保存後、メール形式判定部３０は、電子メールの本文に３番目の宛先情報６０２ｃが含まれるか否かを判定する（Ｓ１０４）。メール形式判定部３０は、３番目の宛先情報６０２ｃが含まれると判定し（Ｓ１０４にてＹＥＳ）、３番目の宛先情報６０２ｃである「Ｙ，Ｚ，Ａ」をメール形式判定用ＤＢの３番に対応する宛先情報欄に保存する（Ｓ１０５）とともに、変数ｎを１増加させて４とする（Ｓ１０６）。
【００９７】
変数ｎのインクリメント後、メール形式判定部３０は、電子メールの本文に４番目の差出人情報が含まれるか否かを判定する（Ｓ１０２）。メール形式判定部３０は、４番目の差出人情報が含まれないと判定し（Ｓ１０２にてＮＯ）、電子メールの本文に４番目の宛先情報が含まれるか否かを判定する（Ｓ１０４）。テーブル３に、画像データが電子メール６００に基づく画像データである場合のメール形式判定用ＤＢを示す。
【００９８】
【表３】
2010165110.tif 000005
【００９９】
テーブル３を参照して、メール形式判定用ＤＢには、電子メールの本文に含まれる全ての差出人情報６０１ａ，６０１ｂ，６０１ｃ及び宛先情報６０２ａ，６０２ｂ，６０２ｃに基づく情報が記憶されている。
【０１００】
メール形式判定部３０は、４番目の宛先情報が含まれないと判定する（Ｓ１０４にてＮＯ）と、メール形式判定用ＤＢの２番に対応する差出人情報欄及び宛先情報欄の両方に情報が保存されているか否かを判定することで、電子メールの本文に２番目の情報が含まれているか否かを判定する（Ｓ１０７）。メール形式判定部３０は、２番目の情報が含まれていると判定し（Ｓ１０７にてＹＥＳ）、メール形式判定用ＤＢから１番目の情報と２番目の情報とを抽出する（Ｓ１０８）。
【０１０１】
メール形式判定部３０は、さらに、抽出した情報に基づいて、１番目の宛先情報の中に２番目の差出人情報が含まれるか否かを判定する（Ｓ１０９）。メール形式判定部３０は、１番目の宛先情報「ｂ−１，ｂ−２，ｂ−３」の中に２番目の差出人情報「Ａ」が含まれていないと判定し（Ｓ１０９にてＮＯ）、２番目の宛先情報の中に１番目の差出人情報が含まれるか否かを判定する（Ｓ１１１）。メール形式判定部３０は、２番目の宛先情報「Ｂ，Ｃ，Ｄ，Ｅ，Ｆ」の中に１番目の差出人情報「Ｂ」が含まれると判定し（Ｓ１１１にてＹＥＳ）、変数ｉを１増加させて１とする（Ｓ１１２）。
【０１０２】
変数ｉのインクリメント後、メール形式判定部３０は、変数ｉが２であるか否かを判定する（Ｓ１１３）。メール形式判定部３０は、変数ｉが２ではないと判定し（Ｓ１１３にてＮＯ）、変数ｉが１であるか否かを判定する（Ｓ１１５）。メール形式判定部３０は、変数ｉが１であると判定し（Ｓ１１５にてＹＥＳ）、電子メールが伝言形式の電子メールであることを画像処理部３５に対して通知する（Ｓ１１６）。
【０１０３】
画像処理部３５は、情報処理装置１２から入力された画像データに対し、色補正処理、及び、印刷範囲決定処理等の所定の処理を含む各種処理を施して所定の階調の出力画像データを作成し、プリンタ部３４に対して出力する。このとき、画像処理部３５は、メール形式判定部３０から、電子メールが伝言形式の電子メールであることを示す通知を受信しているので、画像データから伝言形式用印刷範囲を抽出し、抽出した伝言形式用印刷範囲に基づく出力画像データを作成する。本実施の形態では、電子メールに含まれる、１番目の差出人情報６０１ａ、宛先情報６０２ａ、件名情報６０３ａ及び内容情報６０４ａから、最初の転送元の内容を示す、３番目の差出人情報６０１ｃ、宛先情報６０２ｃ、件名情報６０３ｃ及び内容情報６０４ｃまでの範囲が伝言形式用印刷範囲６１０（図６参照）として、予め設定されている。なお、最初の転送元の内容であるか否かの判断方法としては、特に限定されないが、例えば、件名情報の先頭文字列が「ＦＷ：」であるか否かを判定することによって判断する方法等がある。
【０１０４】
プリンタ部３４は、画像処理部３５から入力される出力画像データに基づいて、記録用紙に対して画像を印刷する。
【０１０５】
（電子メールが通常形式の電子メールである場合）
画像データが通常形式の電子メールに基づく画像データである場合、例えば、画像データが、返信及び転送が行なわれていない電子メールに基づく画像データである場合には、メール形式判定用ＤＢの１番に対応する差出人情報欄及び宛先情報欄の両方のみに情報が保存されるので、メール形式判定部３０は、画像データに２番目の情報は含まれていないと判定し（Ｓ１０７にてＮＯ）、電子メールが通常形式の電子メールであることを画像処理部３５に対して通知する（Ｓ１１７）。また、電子メールが他の通常形式の電子メールである場合、メール形式判定部３０は、ｉは１ではないと判定し（Ｓ１１５にてＮＯ）、電子メールが通常形式の電子メールであることを画像処理部３５に対して通知する（Ｓ１１７）。
【０１０６】
画像処理部３５は、情報処理装置１２から入力された画像データに対し、色補正処理、及び、印刷範囲決定処理等の所定の処理を含む各種処理を施して所定の階調の出力画像データを作成し、プリンタ部３４に対して出力する。このとき、画像処理部３５は、メール形式判定部３０から、電子メールが通常形式の電子メールであることを示す通知を受信しているので、印刷範囲の抽出を行なわず、情報処理装置１２から入力された画像データの全範囲に基づく出力画像データを作成する。これにより、電子メールの内容の全範囲が印刷範囲として決定される。
【０１０７】
プリンタ部３４は、画像処理部３５から入力される出力画像データに基づいて、記録用紙に対して画像を印刷する。
【０１０８】
［変形例］  
画像形成装置２２の変形例は、メール形式判定部３０によるメール形式判定処理を実現するためのプログラムが異なる点を除いて、上記の実施の形態における画像形成装置２２と同一の構成である。本変形例において、画像形成装置２２と同一の機能を有する構成部には同一の参照符号及び名称を付し、それらについての詳細な説明は繰返さない。
【０１０９】
〈ソフトウェア構成〉
図７は、本変形例に係るメール形式判定処理を実現するためのプログラムの制御構造をフローチャート形式で示す図である。上述したように、ＨＤＤ４６に記憶されるコンピュータプログラムは、メール形式判定部３０によるメール形式判定処理を実行するようにプログラミングされている。このメール形式判定処理は、ＣＰＵ４０が、上記コンピュータプログラムに従って、メール形式判定部３０を含む画像形成装置２２の各部の動作を制御することによって、ハードウェアとコンピュータプログラムとの協働により実現する、メール形式判定機能によって実行される。なお、このメール形式判定機能とは、メール形式判定部３０が、電子メールの本文に含まれる件名情報の先頭文字列に基づいて、電子メールが、応答形式の電子メールであるか、伝言形式の電子メールであるかを判定する機能のことである。
【０１１０】
メール形式判定処理を実現するためのコンピュータプログラムは、画像形成装置２２が、情報処理装置１２から送信される、メール形式別印刷ジョブの実行を命令する命令信号と、電子メールに基づく画像データとを受信することによって起動される。
【０１１１】
図７を参照して、このプログラムは、受信した画像データをＲＡＭ４４に一時的に記憶させるステップＳ２００と、電子メールの本文から１番目の件名情報を抽出するステップＳ２０１と、抽出した件名情報の先頭文字列が、転送メールであることを示す文字列「ＦＷ：」であるか否かを判定するステップＳ２０２とを含む。
【０１１２】
このプログラムはさらに、ステップＳ２０２において、先頭文字列が「ＦＷ：」であると判定された場合（ＹＥＳの場合）に実行され、電子メールが伝言形式の電子メールであることを画像処理部３５に対して通知するステップＳ２０３と、ステップＳ２０２において、先頭文字列が「ＦＷ：」ではないと判定された場合（ＮＯの場合）に実行され、抽出した件名情報の先頭文字列が、返信メールであることを示す文字列「ＲＥ：」であるか否かを判定するステップＳ２０４とを含む。
【０１１３】
このプログラムはさらに、ステップＳ２０４において、先頭文字列が「ＲＥ：」であると判定された場合（ＹＥＳの場合）に実行され、電子メールが応答形式の電子メールであることを画像処理部３５に対して通知するステップＳ２０５と、ステップＳ２０４において、先頭文字列が「ＲＥ：」ではないと判定された場合（ＮＯの場合）に実行され、電子メールが通常形式の電子メールであることを画像処理部３５に対して通知するステップＳ２０６とを含む。
【０１１４】
〈動作〉  
図１，図２，図５〜図７を参照して、本変形例に係る画像形成装置２２は、メール形式別印刷ジョブ実行時において、以下のように動作する。なお、メール形式別印刷ジョブ実行時における動作を除く、画像形成装置２２の一般的な機能を実現するための動作は、従来の画像形成装置における動作と同様である。
【０１１５】
情報処理装置１２のユーザは、操作部１１４からの入力操作によって、印刷を所望する電子メールを選択するとともに、メール形式別印刷ジョブを実行することを要求する指示を出す。情報処理装置１２は、操作部１１４からの指示に応答して、メール形式別印刷ジョブの実行を命令する命令信号と、電子メールに基づく画像データとを画像形成装置２２に対して送信する。
【０１１６】
以下、電子メールが返信メールである場合と、転送メールである場合と、通常のメールである場合とに区別して、メール形式別印刷ジョブ実行時の動作を説明する。
【０１１７】
（電子メールが返信メールである場合）
画像データが電子メール５００（図５参照）に基づく画像データである場合、画像形成装置２２のメール形式判定部３０は、上記した命令信号と画像データとを受信すると、受信した画像データをＲＡＭ４４に一時的に記憶させた後（Ｓ２００）、電子メールの本文から１番目の件名情報５０３ａを抽出する（Ｓ２０１）。そして、抽出した件名情報５０３ａの先頭文字列が「ＦＷ：」であるか否かを判定する（Ｓ２０２）。メール形式判定部３０は、先頭文字列が「ＦＷ：」ではないと判定し（Ｓ２０２にてＮＯ）、抽出した件名情報の先頭文字列が「ＲＥ：」であるか否かを判定する（Ｓ２０４）。メール形式判定部３０は、先頭文字列が「ＲＥ：」であると判定し（Ｓ２０４にてＹＥＳ）、電子メールが応答形式の電子メールであることを画像処理部３５に対して通知する（Ｓ２０５）。
【０１１８】
画像処理部３５は、情報処理装置１２から入力された画像データに対し、色補正処理、及び、印刷範囲決定処理等を含む所定の処理を含む各種処理を施して所定の階調の出力画像データを作成し、プリンタ部３４に対して出力する。このとき、画像処理部３５は、メール形式判定部３０から、電子メールが応答形式の電子メールであることを示す通知を受信しているので、画像データから応答形式用印刷範囲を抽出し、抽出した応答形式用印刷範囲に基づく出力画像データを作成する。本実施の形態では、最新の返信内容を示す、１番目の差出人情報５０１ａ、宛先情報５０２ａ、件名情報５０３ａ及び内容情報５０４ａと、上記返信内容の返信元の内容となる、２番目の差出人情報５０１ｂ、宛先情報５０２ｂ、件名情報５０３ｂ及び内容情報５０４ｂとが、応答形式用印刷範囲５１０（図５参照）として、予め設定されている。
【０１１９】
プリンタ部３４は、画像処理部３５から入力される出力画像データに基づいて、記録用紙に対して画像を印刷する。
【０１２０】
（電子メールが転送メールである場合）
画像データが電子メール６００（図６参照）に基づく画像データである場合、画像形成装置２２のメール形式判定部３０は、上記した命令信号と画像データとを受信すると、受信した画像データをＲＡＭ４４に一時的に記憶させた後（Ｓ２００）、電子メールの本文から１番目の件名情報６０３ａを抽出する（Ｓ２０１）。そして、抽出した件名情報６０３ａの先頭文字列が「ＦＷ：」であるか否かを判定する（Ｓ２０２）。メール形式判定部３０は、先頭文字列が「ＦＷ：」であると判定し（Ｓ２０２にてＹＥＳ）、電子メールが伝言形式の電子メールであることを画像処理部３５に対して通知する（Ｓ２０３）。
【０１２１】
画像処理部３５は、情報処理装置１２から入力された画像データに対し、色補正処理、及び、印刷範囲決定処理等の所定の処理を含む各種処理を施して所定の階調の出力画像データを作成し、プリンタ部３４に対して出力する。このとき、画像処理部３５は、メール形式判定部３０から、電子メールが伝言形式の電子メールであることを示す通知を受信しているので、画像データから伝言形式用印刷範囲を抽出し、抽出した伝言形式用印刷範囲に基づく出力画像データを作成する。本実施の形態では、電子メールに含まれる、１番目の差出人情報６０１ａ、宛先情報６０２ａ、件名情報６０３ａ及び内容情報６０４ａから、最初の転送元の内容を示す、３番目の差出人情報６０１ｃ、宛先情報６０２ｃ、件名情報６０３ｃ及び内容情報６０４ｃまでの範囲が伝言形式用印刷範囲６１０（図６参照）として、予め設定されている。
【０１２２】
プリンタ部３４は、画像処理部３５から入力される出力画像データに基づいて、記録用紙に対して画像を印刷する。
【０１２３】
（電子メールが通常形式の電子メールである場合）
画像データが通常形式の電子メールに基づく画像データである場合、例えば、画像データが、返信及び転送が行なわれていない電子メールに基づく場合、画像形成装置２２のメール形式判定部３０は、上記した命令信号と画像データとを受信すると、受信した画像データをＲＡＭ４４に一時的に記憶させた後（Ｓ２００）、電子メールの本文から１番目の件名情報を抽出する（Ｓ２０１）。そして、抽出した件名情報の先頭文字列が「ＦＷ：」であるか否かを判定する（Ｓ２０２）。メール形式判定部３０は、先頭文字列が「ＦＷ：」ではないと判定し（Ｓ２０２にてＮＯ）、抽出した件名情報の先頭文字列が「ＲＥ：」であるか否かを判定する（Ｓ２０４）。メール形式判定部３０は、先頭文字列が「ＲＥ：」ではないと判定し（Ｓ２０４にてＮＯ）、電子メールが通常形式の電子メールであることを画像処理部３５に対して通知する（Ｓ２０６）。
【０１２４】
画像処理部３５は、情報処理装置１２から入力された画像データに対し、色補正処理、及び、印刷範囲決定処理等の所定の処理を含む各種処理を施して所定の階調の出力画像データを作成し、プリンタ部３４に対して出力する。このとき、画像処理部３５は、メール形式判定部３０から、電子メールが通常形式の電子メールであることを示す通知を受信しているので、印刷範囲の抽出を行なわず、情報処理装置１２から入力された画像データの全範囲に基づく出力画像データを作成する。これにより、電子メールの内容の全範囲が印刷範囲として決定される。
【０１２５】
プリンタ部３４は、画像処理部３５から入力される出力画像データに基づいて、記録用紙に対して画像を印刷する。
【０１２６】
〈作用・効果〉
上記実施の形態及び変形例によれば、画像形成装置２２は、情報処理装置１２とネットワーク２０を介してデータ通信を行なう画像形成装置であって、電子メールに基づく画像データを情報処理装置１２から受信するＮＩＣ３８と、受信した画像データに基づいて、電子メールの形式を判定するメール形式判定部３０と、メール形式判定部３０の判定結果に応じて、電子メールの印刷範囲を決定する画像処理部３５と、電子メールにおける、画像処理部３５によって決定された印刷範囲に基づく画像を出力するプリンタ部３４とを含む。
【０１２７】
このように、電子メールの形式に応じて電子メールの印刷範囲を決定し、決定された印刷範囲に基づく画像が出力されるので、電子メールの本文の内容において、印刷の必要な部分を効率的に抽出して印刷することができる。これにより、印刷の無駄を少なくして、記録用紙の出力枚数及びインク等の記録剤の使用量を節約することができる。
【０１２８】
また上記実施の形態及び変形例によれば、メール形式判定部３０は、受信した画像データに基づいて、電子メールが、電子メールの返信が繰返されることによって、電子メールの本文に、複数の、差出人情報、宛先情報、件名情報及び内容情報が含まれる応答形式の電子メールであるか、電子メールの転送が繰返されることによって、電子メールの本文に、複数の、差出人情報、宛先情報、件名情報及び内容情報が含まれる伝言形式の電子メールであるかを判定する。
【０１２９】
このように、メール形式判定部３０は、電子メールが、応答形式の電子メールであるか、伝言形式の電子メールであるかを判定するので、画像処理部３５は、応答形式の電子メール又は伝言形式の電子メールに応じた印刷範囲を決定することができる。したがって、電子メールの本文の内容において、印刷の必要な部分をより一層効率的に抽出して印刷することができる。
【０１３０】
また上記実施の形態によれば、メール形式判定部３０は、電子メールの本文に含まれる差出人情報及び宛先情報に基づいて、１番目に新しい宛先情報に２番目に新しい差出人情報が含まれるか否か、及び、２番目に新しい宛先情報に１番目に新しい差出人情報が含まれるか否かを判定し、上記判定結果に基づいて、電子メールが、応答形式の電子メールであるか、伝言形式の電子メールであるかを判定する。これにより、電子メールの形式の判定をさらに確実かつ容易に行なうことができるので、メール形式判定部３０にかかる負荷をより一層低減することができる。
【０１３１】
上記変形例によれば、メール形式判定部３０は、電子メールの本文に含まれる件名情報の先頭文字列に基づいて、電子メールが、応答形式の電子メールであるか、伝言形式の電子メールであるかを判定する。例えば、メール形式判定部３０は、電子メールの本文に含まれる件名情報の先頭文字列が転送メールであることを示す文字列「ＦＷ：」である場合に、電子メールが、伝言形式の電子メールであると判定する。また、メール形式判定部３０は、電子メールの本文に含まれる件名情報の先頭文字列が返信メールであることを示す文字列「ＲＥ：」である場合に、電子メールが、応答形式の電子メールであると判定する。これにより、電子メールの形式の判定をさらに確実かつ容易に行なうことができるので、メール形式判定部３０にかかる負荷をより一層低減することができる。
【０１３２】
上記実施の形態及び変形例によれば、画像処理部３５は、メール形式判定部３０によって、電子メールが応答形式の電子メールであると判定された場合に、電子メールの本文に含まれる、最新の返信内容を示す、１番目に新しい差出人情報、宛先情報、件名情報及び内容情報と、上記返信内容の返信元の内容となる、２番目に新しい差出人情報、宛先情報、件名情報及び内容情報とを、電子メールの印刷範囲として決定する。
【０１３３】
また、画像処理部３５は、メール形式判定部３０によって、電子メールが伝言形式の電子メールであると判定された場合に、電子メールの本文に含まれる、１番目に新しい差出人情報、宛先情報、件名情報及び内容情報から、最初の転送元の内容を示す、最初の転送元となる差出人情報、宛先情報、件名情報及び内容情報までの範囲を、電子メールの印刷範囲として決定する。
【０１３４】
このように印刷範囲が決定されることによって、電子メールの本文の内容における、印刷の必要な部分をより一層効率的に抽出して印刷することができる。したがって、印刷の無駄を少なくして、記録用紙の出力枚数及びインク等の記録剤の使用量をより一層節約することができる。
【０１３５】
また上記実施の形態及び変形例によれば、画像処理部３５は、メール形式判定部３０によって、電子メールが伝言形式の電子メール及び応答形式の電子メールのいずれでもないと判定された場合に、電子メールの本文の全てを、電子メールの印刷範囲として決定する。
【０１３６】
このように、電子メールが、伝言形式の電子メール及び応答形式の電子メールのいずれでもない場合には、電子メールの本文の全てが印刷範囲として決定されるので、電子メールの本文の内容における、印刷の必要な部分をより一層確実に印刷することができる。
【０１３７】
なお、上記実施の形態においては、画像形成装置２２は、電子メールの形式に応じて決定された印刷範囲に基づく画像のみを印刷する構成であったが、本発明はそのような実施の形態には限定されない。例えば、以下に示す形態であってもよい。すなわち、決定された印刷範囲に基づく画像の印刷後、画像形成装置２２の制御部２４は、情報処理装置１２の表示部１１６に対し、「残りの内容を印刷しますか？」等の、電子メールの本文における、画像処理部３５によって決定された印刷範囲を除く部分（以下、「残りの内容」と記す。）に基づく画像を印刷するか否かをユーザに判断させるためのメッセージを表示させる。そして、プリンタ部３４は、操作部１１４が、ユーザが残りの内容に基づく画像を出力すると判断したことを受付けた場合に、電子メールの本文における残りの内容に基づく画像を出力する。これにより、例えば、画像処理部３５によって決定された印刷範囲に基づく画像を確認したユーザが、電子メールの本文の内容の全てを確認したいと考えた場合に、ユーザの要望を達成することができる。したがって、ユーザの利便性がより一層向上する。
【０１３８】
また上記実施の形態によれば、メール形式判定部３０は、電子メールの形式の判定を、変数ｉが予め定める判定値であるか否かに基づいて行なったが、本発明はそのような実施の形態に限定されない。例えば、電子メールの本文に含まれる差出人情報及び宛先情報に同じ情報があるか否かを判定し、同じ情報があると判定した場合には、同じ情報の数に基づいて、上記判定を行なってもよい。この場合、電子メールの本文に含まれる、差出人情報及び宛先情報に、同じ情報が予め定めるしきい値以上含まれる場合には応答形式であると判定し、同じ情報が１以上かつ予め定めるしきい値未満含まれる場合には、伝言形式であると判定してもよい。このように上記判定を行なうことにより、電子メールの形式の判定をさらに確実かつ容易に行なうことができるので、メール形式判定手段にかかる負荷をより一層低減することができる。
【０１３９】
また上記変形例では、返信メールであることを示す文字列として「ＲＥ：」が使用され、転送メールであることを示す文字列として「ＦＷ：」が使用されたが、本発明はそのような実施の形態には限定されない。例えば、返信メールであることを示す文字列として「返：」が使用され、転送メールであることを示す文字列として「転：」が使用されてもよい。これらの文字列は、情報処理装置１２のＨＤＤ１１２に記憶される、電子メールの送受信を行なうためのアプリケーションソフトの設定に応じて異なる。
【０１４０】
このように、電子メールの形式を判断する際に使用する文字列が変更可能であることによって、異なる文字列を含む電子メールを受信した場合等にも、電子メールの形式を正確に判断することができる。したがって、ユーザの利便性がより一層向上する。
【０１４１】
今回開示された実施の形態は単に例示であって、この発明が上記した実施の形態のみに制限されるわけではない。この発明の範囲は、発明の詳細な説明の記載を参酌した上で、特許請求の範囲の各請求項によって示され、そこに記載された文言と均等の意味及び範囲内での全ての変更を含む。
【符号の説明】
【０１４２】
１０  電子メール印刷システム
１２  情報処理装置
２０  ネットワーク
２２  画像形成装置
２４，１００  制御部
２６，１２８  ＢＵＳライン
３０  メール形式判定部
３２  スキャナ部
３４  プリンタ部
３５  画像処理部
３６  操作パネル
３８，１１８  ＮＩＣ
３９  電源制御部
４０，１２２  ＣＰＵ
４２，１２４  ＲＯＭ
４４，１２６  ＲＡＭ
４６，１１２  ＨＤＤ
４８  画像メモリ
５０  印字部
５２  外部電源
１１４  操作部
１１６  表示部
【図１】
2010165110.tif 000006
【図２】
2010165110.tif 000007
【図３】
2010165110.tif 000008
【図４】
2010165110.tif 000009
【図５】
2010165110.tif 000010
【図６】
2010165110.tif 000011
【図７】
2010165110.tif 000012